(57)【特許請求の範囲】
【請求項１】
グリップと、
前記グリップに配置され、少なくとも１つのリング状空間を内部に有する重力部材と、
前記重力部材の前記リング状空間内で転動することが可能なように配置された少なくとも１つの転動体と、を備え、
前記重力部材は、前記グリップの両端にそれぞれ設けられた第１の重力部材及び第２の重力部材を含み、
前記第１の重力部材及び前記第２の重力部材の内部のリング状空間は、それぞれ前記第１の重力部材及び前記第２の重力部材に対して傾いており、
前記グリップの長軸と、前記第１の重力部材の前記リング状空間の中心軸とにより第１の傾斜した角度が形成され、
前記グリップの長軸と、前記第２の重力部材の前記リング状空間の中心軸とにより第２の傾斜した角度が形成されることを特徴とする運動エネルギダンベル。
【請求項２】
前記グリップの少なくとも１つの端部には、組み合わせ部が設けられ、
前記重力部材は、前記リング状空間を内部に有し、前記グリップの組み合わせ部に結合される突合せ部を有するバランスウェイトを含むことを特徴とする請求項１に記載の運動エネルギダンベル。
【請求項３】
前記重力部材の前記バランスウェイトは、上ハウジング及び下ハウジングを有し、
前記上ハウジングには、突合せ部が設けられ、
前記上ハウジングと前記下ハウジングとを結合すると、前記リング状空間が内部に形成されることを特徴とする請求項２に記載の運動エネルギダンベル。
【請求項４】
前記グリップは、少なくとも１つの端部に組み合わせ部が設けられ、
前記重力部材は、第１のバランスウェイト及び第２のバランスウェイトを含み、
前記第１のバランスウェイト及び前記第２のバランスウェイトは、それぞれ突合せ部及び連結部を有し、前記第１のバランスウェイトの前記突合せ部と、前記グリップの前記組み合わせ部とを結合し、前記第２のバランスウェイトの前記突合せ部と、前記第１のバランスウェイトの前記連結部とを結合することを特徴とする請求項１に記載の運動エネルギダンベル。
【請求項５】
前記重力部材の前記バランスウェイトは、上ハウジング及び下ハウジングをそれぞれ有し、
前記上ハウジングには、突合せ部が設けられ、
前記下ハウジングには、連結部が設けられ、
前記上ハウジングと前記下ハウジングとを結合すると、前記リング状空間が内部に形成されることを特徴とする請求項４に記載の運動エネルギダンベル。
【請求項６】
前記第１の傾斜した角度と前記第２の傾斜した角度とは等しいことを特徴とする請求
項１に記載の運動エネルギダンベル。
【請求項７】
前記第１の傾斜した角度と前記第２の傾斜した角度とは等しくないことを特徴とする請求項１に記載の運動エネルギダンベル。
【請求項８】
前記重力部材に固設する少なくとも１つの磁性体をさらに備えることを特徴とする請求項１に記載の運動エネルギダンベル。
【請求項９】
前記重力部材は、少なくとも１つの磁性体を収容する少なくとも１つの収容部を有し、
前記リング状空間は、前記収容部に周設されることを特徴とする請求項１に記載の運動エネルギダンベル。
【発明の詳細な説明】
【技術分野】
【０００１】
本発明は、トレーニング機器に関し、特に、運動エネルギダンベル（ｋｉｎｅｔｉｃ ｅｎｅｒｇｙ ｄｕｍｂｂｅｌｌ）に関する。
【背景技術】
【０００２】
身体を鍛えるために使用する従来のダンベルのほとんどは、一体成形型であるため、トレーニングの際、ダンベルの重量を自在に変えることができない。そのため、異なる重さでトレーニングを行う場合、異なる重量のダンベルを別に購入する必要があり、トレーニングに多くの費用がかかる。また、ダンベルを手で持って肘を曲げる方式（アームカール方式とも称する）でトレーニングを行う場合、トレーニングが単調となる上、同じ動作を繰り返すと、トレーニングを行う者は興味を失い易かった。
【０００３】
上述の一体成形型のダンベルの欠点を改善するために、手で握って肘を曲げる方式でトレーニングを行う以外に、揺らしたり振動させたりすることによりトレーニング効果を高めるダンベルが一部メーカにより開発されている。このダンベル構造（例えば、特許文献１）は、中空ホルダと、中空ホルダ内に配置された複数のバランスウェイト及びバネと、中空ホルダの両端に固設された蓋体と、を含み、各バランスウェイトが、これらのバネの弾性エネルギにより、中空ホルダ内で軸方向に往復運動することにより、ダンベルを揺らしたり振動させたりする。
【０００４】
特許文献１のダンベルは、従来技術とは異なるトレーニング効果を得ることができるが、バランスウェイトが往復運動を行うときに発生する振動及び衝撃により、中空ホルダの両端に設けられた蓋体が外れたり、揺らしたり振動させたりすることにより、中空ホルダの内部からバランスウェイト及びバネが外れたり、さらに酷い場合にはユーザが怪我をする虞がある。上述したことから分かるように、このように揺れたり振動したりするダンベルには問題点があるため、改善が求められていた。
【先行技術文献】
【特許文献】
【０００５】
【特許文献１】台湾実用新案登録第３７６３１８号公報
【発明の概要】
【発明が解決しようとする課題】
【０００６】
本発明の目的は、振動を発生させてトレーニング効果を高める運動エネルギダンベルを提供することにある。
本発明のもう一つの目的は、必要に応じてダンベルの重量を調整することができる運動エネルギダンベルを提供することにある。
【課題を解決するための手段】
【０００７】
上記目的を達成するためになされた請求項１に記載の運動エネルギダンベルは、グリップと、前記グリップに配置され、少なくとも１つのリング状空間を内部に有する重力部材と、前記重力部材の前記リング状空間内で転動することが可能なように配置された少なくとも１つの転動体と、を備え、前記重力部材は、前記グリップの両端にそれぞれ設けられた第１の重力部材及び第２の重力部材を含み、前記第１の重力部材及び前記第２の重力部材の内部のリング状空間は、それぞれ前記第１の重力部材及び第２の重力部材に対して傾いており、前記グリップの長軸と、前記第１の重力部材の前記リング状空間の中心軸とにより第１の傾斜した角度が形成され、前記グリップの長軸と、前記第２の重力部材の前記リング状空間の中心軸とにより第２の傾斜した角度が形成されることを特徴とする。
【０００８】
前記グリップの少なくとも１つの端部には、組み合わせ部が設けられ、前記重力部材は、前記リング状空間を内部に有し、前記グリップの組み合わせ部に結合される突合せ部を有するバランスウェイトを含むことが好ましい。
【０００９】
前記重力部材の前記バランスウェイトは、上ハウジング及び下ハウジングを有し、前記上ハウジングには、突合せ部が設けられ、前記上ハウジングと前記下ハウジングとを結合すると、前記リング状空間が内部に形成されることが好ましい。
【００１０】
前記グリップは、少なくとも１つの端部に組み合わせ部が設けられ、前記重力部材は、第１のバランスウェイト及び第２のバランスウェイトを含み、前記第１のバランスウェイト及び前記第２のバランスウェイトは、それぞれ突合せ部及び連結部を有し、前記第１のバランスウェイトの前記突合せ部と、前記グリップの前記組み合わせ部とを結合し、前記第２のバランスウェイトの前記突合せ部と、前記第１のバランスウェイトの前記連結部とを結合することが好ましい。
【００１１】
前記重力部材の前記バランスウェイトは、上ハウジング及び下ハウジングをそれぞれ有し、前記上ハウジングには、突合せ部が設けられ、前記下ハウジングには、連結部が設けられ、前記上ハウジングと前記下ハウジングとを結合すると、前記リング状空間が内部に形成されることが好ましい。
【００１２】
前記第１の傾斜した角度と前記第２の傾斜した角度とは等しいことが好ましい。
【００１３】
前記第１の傾斜した角度と前記第２の傾斜した角度とは等しくないことが好ま
しい。
【００１４】
前記重力部材に固設する少なくとも１つの磁性体をさらに備えることが好まし
い。
【００１５】
前記重力部材は、少なくとも１つの磁性体を収容する少なくとも１つの収容部
を有し、前記リング状空間は、前記収容部に周設されることが好ましい。
【発明の効果】
【００１６】
本発明の運動エネルギダンベルは、振動を発生させてトレーニング効果を高めることができる上、必要に応じてダンベルの重量を調整することができる。
【図面の簡単な説明】
【００１７】
【図１】本発明の第１実施形態による運動エネルギダンベルを示す斜視図である。
【図２】本発明の第１実施形態による運動エネルギダンベルを示す分解斜視図である。
【図３】本発明の参考例による運動エネルギダンベルを示す正面図である。
【図４】本発明の第１実施形態による運動エネルギダンベルを示す側面図である。
【図５】本発明の第１実施形態による運動エネルギダンベルの全体の重量を調整するときの状態を示す分解斜視図である。
【図６】本発明の第１実施形態による運動エネルギダンベルの転動体として複数の球を使用するときの状態を示す分解斜視図である。
【図７】本発明の第１実施形態による運動エネルギダンベルを使用してトレーニングを行うときの状態を示す模式図である。
【図８】本発明の第１実施形態による運動エネルギダンベルを示す正面図である。
【図９】本発明の第２実施形態による運動エネルギダンベルを示す正面図である。
【図１０】本発明の第３実施形態による運動エネルギダンベルを示す分解斜視図である。
【図１１】本発明の第４実施形態による運動エネルギダンベルを示す分解斜視図である。
【図１２】本発明の第５実施形態による運動エネルギダンベルを示す分解斜視図である。
【発明を実施するための形態】
【００１８】
以下、本発明の実施形態について図に基づいて説明する。なお、これによって本発明が限定されるものではない。
【実施例１】
【００１９】
図１及び図２を参照する。図１及び図２に示すように、本発明の第１実施形態による運動エネルギダンベルは、少なくともグリップ１０と、２つの重力部材２０と、転動体を構成する複数の球３０と、から構成される。
【００２０】
グリップ１０は、組み合わせ部を構成するネジ孔１２が両端にそれぞれ設けられ、ユーザが握り易くなる上、グリップ１０の表面に手の平を密着させることができるように、表面が弧状に形成されているため、滑り落ちることを防ぐことができる。
【００２１】
２つの重力部材２０は、グリップ１０の両端に配置された第１の重力部材２０ａ及び第２の重力部材２０ｂをそれぞれ有し、それぞれ第１のバランスウェイト２２を有する。第１のバランスウェイト２２は、上ハウジング２２１、下ハウジング２２２及び軟質ゴム部材２２３を含む。図３及び図４に示すように、上ハウジング２２１と下ハウジング２２２とが接合されると、リング状空間Ｓ１が内部に形成される。
【００２２】
上ハウジング２２１は、付合せ部を構成し、表面にネジ部分が設けられ、グリップ１０のネジ孔１２を結合するために用いる凸柱２２ａを有する。下ハウジング２２２には、連結部を構成するネジ孔２２ｂが設けられている。このネジ孔２２ｂを設ける目的は、ユーザがトレーニングの負荷を増やす際に、図５に示すように、第１のバランスウェイト２２のネジ孔２２ｂに、凸柱２６ａを螺着させて第２のバランスウェイト２６を取り付け、運動エネルギダンベル１の全体の重量を増やしてトレーニングの負荷を増やすことにある。ここで、バランスウェイトの数は、本実施形態の態様だけに限定されるわけではなく、必要に応じて増減してもよい。
【００２３】
軟質ゴム部材２２３は、上ハウジング２２１と下ハウジング２２２との接合箇所に沿うように配置させることにより、第１のバランスウェイト２２の構造強度を高め、万一、運動エネルギダンベル１を地面又は床に落としたとしても、それが有する弾性により衝撃を吸収し、上ハウジング２２１、下ハウジング２２２、又は上ハウジング２２１と下ハウジング２２２との接合箇所が衝撃により損壊することを防ぐことができる。さらに、軟質ゴム部材２２３を取り付けた場合、運動エネルギダンベル１の見た目を向上させることもできる。
【００２４】
これらの球３０は、本実施形態では２つであるが、この態様だけに限定されるわけではなく、図６に示すように、３つ以上の球３０を配置してもよい。また、これらの球３０は、重力部材２０のリング状空間Ｓ１内に転動可能にそれぞれ収納されてもよい。さらに、この球３０は、コロ、ローラなどで代替してもよい。
【００２５】
図７を参照する。図７に示すように、ユーザが運動エネルギダンベル１を利用してトレーニングを行う際、手の平で運動エネルギダンベル１のグリップ１０を握り、運動エネルギダンベル１を規則正しく振ることにより、重力部材２０のリング状空間Ｓ１内に配置された球３０が遠心力によりリング状空間Ｓ１内で転動し、転動する際に発生する振動が間接的に手に伝わるため、ユーザは、振動をはっきりと感じることができる。この振動は、手に振動マッサージの効果を与え、ユーザは、転動により発生した振動を感じたときに反射的に強く握るため、握って使用するときの安全性を高めることができる。また、本実施形態の運動エネルギダンベル１は、従来のスイング式ダンベルのようにバネの弾性エネルギにより振動を発生させるわけではないため、内部部品が繰り返してぶつかる衝撃により外れる虞もない。
【００２６】
ここで、ユーザがトレーニングを行う際、従来のダンベルとは異なる感覚を得ることができるように、本発明の第１実施形態による運動エネルギダンベル２は、第２の重力部材５０’内のリング状空間Ｓ２，Ｓ２’は、第１の重力部材５０に対して一定の角度で傾いている。即ち、グリップ４０の長軸Ｌ２と、リング状空間Ｓ２の中心軸ＬＣ２とにより第１の傾斜した角度θ１が形成され、長軸Ｌ２と、リング状空間Ｓ２’の中心軸ＬＣ２’とにより第２の傾斜した角度θ２が形成されている。第１の傾斜した角度θ１と第２の傾斜した角度θ２とは角度が等しく、中心軸ＬＣ２と中心軸ＬＣ２’とは平行に設けることができる。これにより、ユーザがトレーニングを行う際、球６０の転動軌道の経路がずれて運動エネルギダンベル２の重力及び振動力が変化し、ユーザがトレーニングを行う際、従来技術とは異なる特別な感覚を得ることができる。
【実施例２】
【００２７】
図９を参照する。図９に示すように、本発明の第２実施形態による運動エネルギダンベル３は、第１の重力部材７０のリング状空間Ｓ３と、第２の重力部材７０’のリング状空間Ｓ３’との傾斜角度が異なる。即ち、２つのリング状空間Ｓ３，Ｓ３’の中心軸ＬＣ３，ＬＣ３’の延長線との間に第３の傾斜した角度θ３が形成され、球８０，８０’の転動軌道の差異により、運動エネルギダンベル３の重力及び振動力の変化量を増大させ、ユーザがトレーニングを行う際に感じる特別な感覚を強くしてもよい。
【実施例３】
【００２８】
図１０を参照する。図１０に示すように、本発明の第３実施形態による運動エネルギダンベル４は、磁性体から構成される複数の磁石８５を含む。これらの磁石８５が重力部材８６のハウジング８６ａ上に分散させて固設されているため、球８７が転動するときに磁力により影響され、転動速度が変化して運動エネルギダンベル４の振動効果を変化させることができる。
【実施例４】
【００２９】
図１１を参照する。図１１に示すように、本発明の第４実施形態による運動エネルギダンベル５の複数の磁石８８が、重力部材８９の収容部９０上に貼設されているため、収容部９０に周設されたリング状空間Ｓ４内部の球９１が磁石８８の磁力の影響を受け、転動速度が変化する。また、収容部９０上には、磁石８８を安定的に配置させるために用いる複数の凹部が設けられてもよい。
【実施例５】
【００３０】
図１２を参照する。図１２に示すように、本発明の第５実施形態による運動エネルギダンベル６は、ユーザの必要に応じ、運動エネルギダンベル６の重力部材９３をグリップ９２の端部に集中的に取り付けて運動エネルギダンベル６の重心をずらすことにより、特定方向の筋肉を鍛えてもよい。ここで、第５実施形態の重力部材９３は、上述の第１〜４実施形態で使用した異なる構造の重力部材で代替したり、組み合わせて使用したりすることにより、振動効果を向上させてもよい。
【００３１】
上述したことから分かるように、本発明の運動エネルギダンベルは、振動の発生によりトレーニング効果を高め、必要に応じて重量を調整することができる上、内部の部材が外れることを防ぐこともできる。
【００３２】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３３】
１        運動エネルギダンベル
２        運動エネルギダンベル
３        運動エネルギダンベル
４        運動エネルギダンベル
５        運動エネルギダンベル
６        運動エネルギダンベル
１０      グリップ
１２      ネジ孔
２０      重力部材
２０ａ    第１の重力部材
２０ｂ    第２の重力部材
２２      第１のバランスウェイト
２２ａ    凸柱
２２ｂ    ネジ孔
２６      第２のバランスウェイト
２６ａ    凸柱
３０      球
４０      グリップ
５０      第１の重力部材
５０’    第２の重力部材
６０      球
７０      第１の重力部材
７０’    第２の重力部材
８０      球
８０’    球
８５      磁石
８６      重力部材
８６ａ    ハウジング
８７      球
８８      磁石
８９      重力部材
９０      収容部
９１      球
９２      グリップ
９３      重力部材
２２１    上ハウジング
２２２    下ハウジング
２２３    軟質ゴム部材
Ｓ１      リング状空間
Ｓ２      リング状空間
Ｓ２’    リング状空間
Ｓ３      リング状空間
Ｓ３’    リング状空間
Ｓ４      リング状空間
Ｌ１      長軸
Ｌ２      長軸
ＬＣ１    中心軸
ＬＣ２    中心軸
ＬＣ２’  中心軸
ＬＣ３    中心軸
ＬＣ３’  中心軸
θ１      第１の傾斜した角度
θ２      第２の傾斜した角度
θ３      第３の傾斜した角度
【図１】
0005208248.tif 000002
【図２】
0005208248.tif 000003
【図３】
0005208248.tif 000004
【図４】
0005208248.tif 000005
【図５】
0005208248.tif 000006
【図６】
0005208248.tif 000007
【図７】
0005208248.tif 000008
【図８】
0005208248.tif 000009
【図９】
0005208248.tif 000010
【図１０】
0005208248.tif 000011
【図１１】
0005208248.tif 000012
【図１２】
0005208248.tif 000013